(57)【要約】  テープ形状の媒体の位置を決定するための方法および編成が提案される。この方法は、それぞれの駆動状態によってカウントされるか、ブロックされるか、またはキャンセルされる位置を決定するための処理に供給されるカウントパルスを提供する。この目的を達成するために、駆動方向が定義された時間量または定義された距離で不変であったかどうかが確立される。駆動方向は、カウンタがインクリメントされるか、デクリメントされるかを決定する。さらに、相互にすばやく流れるカウントパルスは、望まない二重トリガを避けるためにブロックされる。ブロックされたカウントパルスを望まない形で失うのを避けるために、後半が格納され、ブロッキングの前後の駆動状態によって、カウンタに適用されるか、または捨てられる。
2008547041.tif 000002
【特許請求の範囲】
【請求項１】
縦軸に沿って行ったり来たり移動できるテープ形状の媒体(tape-like medium)の位置を決定するための方法であって、検出器(detector)は、前記テープ形状の媒体を定義された距離の駆動に対応する第１の信号（ＴＰ）を生成し、第２の信号（ＤＩＲ）は駆動方向を示し、第３の信号（ＢＰ）は、前記テープ形状の媒体の複数の前記定義された距離の前記駆動を示し、前記位置は、複数の前記定義された距離を用いて決定され、
−定義された時間期間の間または定義された距離の間、前記駆動方向が不変であり、定義されるかどうかを確立し、不変であり定義された駆動方向を示す第４の信号（ＫＤＩＲ）を生成するステップと、
−前記駆動方向（ＤＩＲ）が定義された時間期間または定義された距離で不変であったとき、前記入ってくる第３の信号（ＢＰ）をカウンタ（ＢＺ）へのカウント(counting)信号（ＺＰ）として適用し、前記第４の信号（ＫＤＩＲ）は、前記カウンタ（ＢＺ）がインクリメントまたはデクリメントであるかどうかを決定するステップと
を備えたことを特徴とする方法。
【請求項２】
−前記第４の信号（ＫＤＩＲ）を格納するステップ
をさらに備えたことを特徴とする請求項１に記載の方法。
【請求項３】
−第３の信号（ＢＰ）が前記カウンタ（ＢＺ）へのカウント信号（ＺＰ）として適用された後、定義された時間量の間または定義された距離内で、前記第２の信号（ＤＩＲ）が変化するか、または定義されていない場合、さらに入ってくる第３の信号（ＢＺ）をブロックするステップと、
−前記駆動方向（ＤＩＲ）が再び不変で、前記格納された駆動方向と反対であるときに、カウント信号（ＺＰ）を前記カウンタ（ＢＺ）に適用するステップであって、前記第４の信号（ＫＤＩＲ）が、前記カウンタ（ＢＺ）がインクリメントまたはデクリメントであるかどうかを決定するステップと
をさらに備えたことを特徴とする請求項２に記載の方法。
【請求項４】
−前記駆動方向（ＤＩＲ）が未知であるとき、または前記駆動方向の変化の後、前記時間期間または前記距離が不変な駆動方向（ＫＤＩＲ）を確立するのに充分でない場合、入ってくる第３の信号（ＢＰ）をバッファ格納するステップと、
−前記駆動方向（ＤＩＲ）が再び不変で、前記格納された駆動方向（ＫＤＩＲ´）と同一であるとき、前記バッファ格納された第３の信号（ＳＰ）を前記カウンタ（ＢＺ）へのカウント信号（ＺＰ）として適用し、前記駆動方向（ＫＤＩＲ´）が、前記カウンタ（ＢＺ）がインクリメントまたはデクリメントするかどうかを決定するステップと
をさらに備えたことを特徴とする請求項２に記載の方法。
【請求項５】
前記第２の信号（ＤＩＲ）は、前記検知出器から生じる前記第１の信号（ＴＰ）から転送されることを特徴とする請求項１乃至４のうちの１つに記載の方法。
【請求項６】
縦軸に沿って行ったり来たり移動できるテープ形状の媒体(tape-like medium)の位置を決定するための装置であって、検出器(detector)は、前記テープ形状の媒体を定義された距離の駆動に対応する第１の信号（ＴＰ）を生成し、駆動方向を示す第２の信号（ＤＩＲ）は集積回路で供給され、前記検出器から発する前記第１の信号（ＴＰ）、および前記第２の信号（ＤＩＲ）をカウント集積回路（ＣＮＴ）に供給し、前記カウント集積回路（ＣＮＴ）は、定義された時間量または定義された距離で不変であった駆動方向を示す第４の信号（ＫＤＩＲ）を発することを特徴とする装置。
【請求項７】
前記第４の信号（ＫＤＩＲ）を格納するメモリ（ＲＳＰ）で提供することを特徴とする請求項６に記載の装置。
【請求項８】
定義された時間期間または定義された距離で前記駆動方向（ＤＩＲ）が不変であったときまでカウンタ（ＢＺ）へ渡されないようなやり方で、前記装置に供給される第３の信号（ＢＰ）は、前記第４の信号（ＫＤＩＲ）に論理的に結合される（ＬＯＧ）ことを特徴とする請求項６または７に記載の装置。
【請求項９】
第３の信号（ＢＰ）が前記カウンタ（ＢＺ）へカウント信号（ＺＰ）として適用された後、定義された距離または定義された時間内で、前記駆動方向（ＤＩＲ）が変わるか、または定義されない場合にリセットされるブロッキングカウンタ（ＢＬＺ）で提供され、カウント信号（ＺＰ）として前記カウンタ（ＢＺ）へ渡されないようなやり方で、前記ブロッキングカウンタの前記出力信号は、前記集積回路に供給される第３の信号（ＢＰ）で論理的に結合される（ＬＯＧ）ことを特徴とする請求項７または８に記載の装置。
【請求項１０】
前記ブロッキングカウンタ（ＢＬＺ）が前記カウンタ（ＢＺ）へのカウント信号（ＺＰ）として第３の信号（ＢＰ）の前記アプリケーションをブロックする間に、前記集積回路へ渡される前記第３の信号（ＢＰ）を格納し、前記ブロッキングカウンタ（ＢＬＺ）が前記カウンタ（ＢＺ）への集積信号（ＺＰ）の前記アプリケーションをもはやブロックしないとき、および前記不変の駆動方向（ＫＤＩＲ）が前のブロックと同一であるときに、前記カウンタ（ＢＺ）にカウント信号（ＺＰ）として前記格納された第３の信号（ＢＰ）を適用するメモリ（ＳＰ）で提供されることを特徴とする請求項９に記載の装置。
【請求項１１】
前記ブロッキングの終わりに前記不変の駆動方向（ＫＤＩＲ）が、ブロッキング前の前記不変の駆動方向（ＫＤＩＲ´）と反対である場合、前記カウンタ（ＢＺ）へのブロッキングの間に入ってくるブロックされた第３の信号（ＢＰ）を適用する補正集積回路（６）で提供されることを特徴とする請求項９に記載の装置。
【発明の詳細な説明】
【技術分野】
【０００１】
カウントされることになる連続した領域は、テープ形状の媒体上で構成される。テープ形状の媒体はたとえば、映画フィルムであり、領域はたとえば、テープ形状の媒体のフィルム画像である。説明の理解を改善するために、テープ形状の媒体、フィルム、領域、およびフィルム画像という用語は、以下のテキストと同義で使用される。制御された方式で個々のフィルム画像にアクセスできるようにするために、画像カウンタは、フィルムが駆動されるのに伴ってフィルム画像をカウントしなければならない。本発明は、駆動は、たとえば、フィルムプロジェクタまたはフィルムスキャナで行ったり来たりするフィルムのスプーリングの動作などの意味として理解されたい。フィルムプロジェクタまたはフィルムスキャナにおいて、たとえば２つのフィルム画像の間の境界において画像カウンタに供給される画像パルスをトリガする。さらに、カウント方向を示し、駆動方向に対応する方向信号を、画像カウンタに供給する。画像カウンタは従って正しくインクリメントまたはデクリメントされる。
【０００２】
ある事情の下、駆動方向は２つの連続した画像の間で変更されるかもしれない。この場合、相互（一方は前の方向で、他方は逆の方向）に素早く流れる２つの画像パルスを生成する。パルス間の一時的な間隔は、方向の変更が行なわれた位置により、２つの画像の間の領域に関する。２つのそのような画像パルス間の間隔が任意に短くなりうるので、画像カウンタは２つの画像パルスのうちの１つを正しく検出しないかもしれない。これは、たとえば望まないダブルトリガを避けるためにカウントメカニズムにおいてデッドタイムを提供する場合にであってもよい。画像パルスのうちの１つが正しく検出されなかった場合、これはフィルムの望まない正しくない位置づけという結果となる。カウントエラーはオフセットとして、さらなるフィルム画像すべての位置を損なう。
【０００３】
相互に素早く流れる２つの画像パルスの上述の出現は、フィルム駆動の間、揺らぎにより生じるかもしれない。この場合、フィルム駆動方向の検出は、たとえば実際に逆になっていた方向なしで、変更を示すかもしれない。２つのフィルム間の境界において起きる
フィルム駆動方向の検出におけるエラーは、間違った方向でカウンタを上げる。
【発明の開示】
【発明が解決しようとする課題】
【０００４】
従来技術で知られていて、駆動フィルムを意図する装置の場合、上述の望まない振る舞を、テープ駆動を方向変更の事象において意図的に減速することにより避けるので、フィルム画像の真ん中で方向は変わる。しかし、既知の方法は、駆動装置を複雑で込み入った方式で動作することを要求する。
【０００５】
したがって、従来技術と比較して正しくない位置づけに対しての予防を強化した、テープ形状の媒体を位置づける方法および構成を得ることが望ましい。さらに、駆動装置の動作を単純化することが望ましい。
【課題を解決するための手段】
【０００６】
そのような方法は、請求項１において特定される。請求項６で特定される装置は、別の目的の一部を達成する。有利な改良および開発が従属請求項において特定される。
【０００７】
本発明のよる方法は、フィルムの駆動方向が検出されることを提供する。この場合に、３つの異なる駆動状態（つまり、前、逆、そして定義されていない）間で区別がなされる。さらに、この駆動方向が変わっていないことを示す信号を生成する。これは、たとえばフィルム駆動が中断され、同じ方向の後半(latter)で影響された場合に役に立つ。さらに、カウント信号、好ましくは、画像カウンタをインクリメントまたはデクリメント、あるいは駆動状態によってカウントしないカウントパルスは、それぞれの画像について生成される。カウントパルスを、駆動状態を画像パルスと結合することにより生成する。パルスをカウントする画像を生成するための３つの可能性のある状況がある。
【０００８】
ａ）フィルム駆動方向が定義され、不変であり、そして駆動されたフィルムの定義された距離上で不変のままである間、位置を決定するための構成に画像パルスを適用する。
【０００９】
ｂ）フィルム駆動方向が定義され、不変である間、位置を決定するための構成に画像パルスを適用する。このフィルム駆動方向は、画像パルスの後駆動されたフィルムの定義された距離で変えられるか、未定義である。
【００１０】
ｃ）フィルム駆動方向が定義されていない間に、位置を決定するための構成に画像パルスを適用する。
【００１１】
ａ）の場合に、画像カウンタにカウントパルスとして画像パルスを適用し、駆動方向によって、画像カウンタをインクリメントされるかまたはデクリメントするようにする。
【００１２】
ｂ）の場合に、画像カウンタへのカウントパルスとして、ａ）の場合のように画像パルスを渡す。駆動方向がその後逆である場合、たとえば２つの画像間での境界が再び交わる(cross)ので、画像パルスを再びきわめて短い時間期間内に構成へ適用する。方向信号はまず、駆動距離が不変の方向信号を生成するのに十分でないので、定義されていない駆動方向を示す。定義されていない方向の場合に、画像パルスを画像カウンタに渡さず、後半は必要に応じて逆の駆動方向において画像をカウントできない。画像カウンタはその後、正しくないカウンタ読み込みを表示する。この場合について、この画像パルスはまずバッファ格納される。方向信号が再び不変のやり方で生成できるとき、定義されていない状態の前に存在した駆動方向と比較する。駆動方向はこの目的のためにそれぞれ格納される。方向が前の駆動方向と反対である場合、格納された画像パルスを画像カウンタへのカウントパルスとして適用する。しかし、方向は現在逆なので、画像カウンタのカウント方向もまた、逆に対応する。前にカウントされた画像パルスはこのようにキャンセルされる。
【００１３】
ｃ）の場合に、画像パルスはますバッファ格納される。駆動方向が再び定義され、方向信号が定義されていない駆動方向を示す前に、駆動方向に関して変化しない場合、バッファ格納された画像パルスを、画像カウンタへのカウントパルスとして適用する。
【００１４】
「ロジック」という用語は、この明細書において、他に明示的に示されない限り、バイナリ変換ロジックの意味で使用される。ロジック状態の指定「０」および指定「１」の変わりに、以下のテキストも、対応する用語「低」および「高」を使用する。テープ形状の媒体の位置を決定する目的のために提供されるカウンタは、たとえばバイナリカウンタである。画像カウンタともよばれるカウンタは、例えば連続するフィルム画像のシリアル番号の形式におけるフィルムの位置を示す。
【発明を実施するための最良の形態】
【００１５】
図において、同一または類似の要素は、同じ参照符号で提供されている。
【００１６】
図１は、本発明による装置の簡略化されたブロック図を示している。駆動パルスＴＰは、論理集積回路ＬＯＧおよびカウンタＣＮＴに適用される。方向信号ＤＩＲもまた、カウンタＣＮＴに適用される。方向信号ＤＩＲは、駆動が前方向に生じているか、または逆方向に生じているかを示し、つまり、駆動方向の変化がカウンタをリセットするようなやり方で、リセット信号の形でカウンタＣＮＴに供給される。カウンタＣＮＴが、変化したその値を有する方向信号ＤＩＲなしで、定義された駆動パルスの数をカウントしたとき、信号ＵＤＩＲは、カウンタＣＮＴの出力において現れる。信号ＵＤＩＲは、明りょうなまたは定義されていない駆動方向を示し、適切な場合、駆動方向は定義された駆動パルスＴＰの数に変化していないことを示す。信号ＵＤＩＲおよび方向信号ＤＩＲは、格納されるために方向メモリＲＳＰに供給される。このメモリは、ＵＤＩＲが明りょうな駆動方向を信号送信するときに信号ＤＩＲの状態を格納する。方向メモリＲＳＰからの出力信号および信号ＵＤＩＲは、論理集積回路ＬＯＧに供給される。定義された複数の駆動パルスＴＰによりテープ形状の媒体の駆動を信号送信する画像パルスＢＰは、論理的集積回路ＬＯＧに適用される。テープ形状の媒体が映画のフィルムである場合、画像パルスＢＰは信号し、例えば、１つのフィルム画像により駆動する。画像パルスＢＰもまた、信号ＵＤＩＲに適用されるメモリＳＰに適用される。信号ＵＤＩＲが未知または定義されていない駆動方向を信号送信するとき、メモリＳＰは集積回路に適用される画像パルスＢＰを格納する。論理集積回路ＬＯＧは、カウントパルスＺＰを行ったり来たりして適用された信号を結合する。この場合、既知の一定の駆動方向の場合に集積回路に適用された画像パルスＢＰは、画像カウンタＢＺへのカウントパルスＺＰとして直接適用される。画像パルスＢＰが画像カウンタにカウントパルスＺＰとして転送された後、論理集積回路ＬＯＧは、少しの時間または少しの距離について画像カウンタＢＺへの画像パルスＢＰの転送をブロックする。駆動方向が未知または定義されていないときに集積回路に適用される画像パルスＢＰは、まず第一にメモリＳＰにバッファ格納される。定義されていない駆動方向が起き、例えば、フィルム駆動が中断され、その後また続けられた場合である。駆動パルスＴＰはフィルムの極めて少しの動きの場合にさえ生成されるので、駆動デバイスの振動により引き起こされるかもしれないように、フィルムの望まないまたは意図しない動きさえ、それぞれの反対の方向への駆動パルスＴＰをトリガするかもかもしれない。方向の変更は、このように間違えて検出されるだろう。駆動方向が知られていて、再び一定であるとき、駆動方向が変更されてない場合、格納された画像パルスＢＰはその後、画像カウンタＢＺに適用される。駆動方向を変更する少し前に画像パルスＢＰが集積回路に渡される場合、方向の変更の後に集積回路に適用された画像パルスＢＰが駆動方向の変化のためにブロックされる場合に、論理集積回路ＬＯＧは、方向の変更の前に適用されたカウントパルスＺＰをキャンセルするカウントパルスＺＰを生成する。
【００１７】
図２は、本発明による方法を実行するための例示的変換ロジックを示している。本発明による方法の好適な実施形態において、検出器は、定義された距離のテープ形状の媒体の駆動に対応する駆動パルスＴＰを生成する。検出器はたとえば、フィルムとの滑らない接触であり、固定の間隔でその上に作られ、センサーによって判断されるローラである。検出器により生成された信号は、パルス化された信号はカウントに有利に使用できるので、この例においては駆動パルスＴＰと呼ばれる。駆動方向を示す信号ＤＩＲは、検出器からの駆動パルスＴＰから生じる。信号ＤＩＲは例えば、論理「０」および「１」状態であると仮定でき、論理状態のそれぞれは、駆動方向を表す。信号ＤＩＲを、第１のカウンタおよび第２のカウンタへのリセット信号として供給し、信号ＤＩＲを、反転の形でカウンタの１つに適用する。反転器３を、この目的のために提供する。信号ＤＩＲの生成は、回転エンコーダからなど、当業者に知られている。後半の場合、状態のそれぞれの組合せ、または二者択一のロジック「０」状態および「１」状態の２つのシーケンスの境界変更(edge change)は、明らかに回転の方向を決定し、このシーケンスは、互いに関して補うように、編成される。それぞれのカウンタのアクティブなリセット信号は、後半がそのクロック入力でクロックパルスの結果としてカウントし始めるのを防ぐ。駆動パルスＴＰもまた、第１のカウンタ１および第２のカウンタ２のそれぞれのクロック入力に対応して供給する。駆動パルスＴＰは、既知の方式で検出器により生成される。各駆動パルスについて、信号ＤＩＲによりリセット状態のままでない２つのカウンタのあるカウンタを、１にインクリメントする。リセット状態のままでないカウンタは、アクティブカウンタである。信号ＤＩＲに示される駆動方向がカウントの間、一定のままであった場合、ロジック「１」などの明らかな信号をその後、カウンタが既定の値をカウントするとすぐに、アクティブカウンタの出力に対応して適用する。各カウンタからの出力信号は、いくつかのカウンタのアクティブ化入力と結合され、カウンタが既定の値をカウントするとすぐにこのカウンタを止める。図２に示されるこの例において、出力信号は、変換器４を介してアクティブ化入力に対応してそれぞれ適用される。カウンタ１、２のいずれかが中断なしに既定の値をカウントしない限り、カウンタ１、２の両方の出力にロジック「０」を適用する。信号ＤＩＲへおよび変換された信号ＤＩＲの結合の結果として、それぞれ、カウンタのうちの１つは、「前へ」の駆動方向に対応する駆動パルスＴＰをカウントする。残りのカウンタは、「逆」の駆動方向に対応する駆動パルスＴＰをカウントする。駆動方向の変化を検知し、画像パルスＢＰのカウントおよび関連するテープ形状の媒体の位置の決定の間カウントに取り込むことを、カウンタ１、２は保証する。
【００１８】
第１のカウンタおよび第２のカウンタからの出力信号は、テープ形状の媒体の駆動方向を示すか、または駆動方向が変わったことを示す。２つの状態のみが必要とされるので、画像カウンタＢＺのカウント方向を決定するのに、１つのカウンタからの出力信号のみ使用すれば十分である。この例において出力はカウンタ２から得られる。カウンタ２からの出力信号は、駆動方向が定義された駆動パルス数について一定であったことを示す。下のテキストにおける所望のＫＤＩＲである。駆動方向の変更イベントの間、前のアクティブカウンタはリセットであり、前の非アクティブ化カウンタにおけるリセット信号はキャンセルされる。結果として、現在アクティブのカウンタが既定の値となるまで、カウンタ１、２両方の出力にロジック「０」をまず適用し、その出力にロジック「１」を適用する。カウンタの出力におけるロジック「０」は、実際の方向の変化または誤って検出された方向の変化の後、駆動方向がまだ定義されていないことを示す。２つのカウンタ１、２からの出力信号を反転および次に論理的にORingすることは、駆動方向がまだ一定でないことを示すために論理的「高い」レベルを使用する信号ＵＤＩＲを生成する。
【００１９】
それぞれ、１つのフィルム画像の長さに対応する距離のフィルムの駆動を示す、さらなる信号、好ましくはパルス信号を集積回路に供給する。定義された駆動パルスＴＰの数について駆動方向が既知であり定義されていたときのみ、画像カウンタＢＺが結合動作の結果であるカウントパルスＺＰを受け取るやり方で、第１のカウンタ１および第２のカウンタ２からの出力信号と、駆動パルスＴＰとを、次に画像パルスＢＰとして参照されるさらなる信号を論理的に結合される。フィルムの駆動方向を示す方向信号ＫＤＩＲもまた、画像カウンタＢＺに供給する。方向信号ＫＤＩＲは、インクリメントおよびデクリメントの間のカウンタＢＺのカウント方向を変えるのに使用する。本発明の好適な一実施形態において、方向信号ＫＤＩＲは第１のカウンタおよび第２のカウンタからの出力信号から運ばれる。
【００２０】
方向信号ＫＤＩＲもまた、反対方向についての対応する画像パルスＢＰが、事前に短く起こった方向の変更のためにブロクされる場合に、方向の変化の前に短く生成されるカウントパルスＺＰがそれぞれの他の方向においてパルスＺＰをカウントすることにより補正されるようなやり方で、補正パルス集積回路６にリンクされる。この場合、方向の変更という用語を、定義されていない駆動方向の意味で使用する。
【００２１】
信号ＢＰもまた、バッファメモリＳＰに供給される。バッファメモリＳＰは、駆動方向が定義されていない間それが到着する場合に、画像パルスＢＰをバッファ格納する。駆動方向が、フィルムが駆動し続けられてもう一度知られ、後ろが定義されていないと検出される前に、駆動方向に関して変更されてもいないとき、格納された画像パルスＢＰを、画像カウンタＢＺにカウントパルスＺＰとして適用する。さもなければ、格納された画像パルスＢＰは捨てられる。
【００２２】
本発明の１つの改良において、第１のカウンタ１および第２のカウンタ２からの出力信号を、遅延要素７、８にそれぞれ適用する。この例において、遅延要素は、外部のクロック信号Ｃによりトリガされるフリップフロップ(flip-flop)である。第１のカウンタ１および第２のカウンタ２からの遅延した出力信号を、遅延要素７、８からメモリ９、１１へそれぞれ渡す。メモリ９、１１のそれぞれは、駆動方向が定義されていないとき、遅延要素により適用される信号を格納する。定義されていない駆動方向を、ロジック「１」レベルを保証する信号ＵＤＩＲにより示す。駆動方向が定義されていない状態の前後で同じであるかどうかを確立するために駆動方向を格納することは必要である。さらに上述したように、駆動における中断はたとえば、駆動方向が定義されていないとして検出されるという結果になるかもしれない。
【００２３】
画像パルスＢＰが画像カウンタＢＺにカウントパルスＺＰとして進められたすぐ後に、駆動方向が変わる場合、さらにカウンタはリセットする。このさらなるカウンタを、以下のブロッキングカウンタＢＬＺと呼ぶ。定義されていない駆動方向を示すこの信号ＵＤＩＲ、デッドタイムカウンタＴＺからの出力信号、およびブロッキングカウンタＢＬＺの出力のうちの１つを、ブロッキングカウンタＢＬＺのリセット信号として供給する。デッドタイムカウンタＴＺからの信号を、以下でより詳細に説明する。駆動パルスＴＰをブロッキングカウンタＢＬＺのクロック信号に供給する。方向が知られている場合、ブロッキングカウンタＢＬＺのリセット入力は、リセット入力に供給される信号は、集積回路１３において対応して論理的に結合することにより非アクティブ化され、ブロッキングカウンタＢＬＺは既定の値まで駆動パルスＴＰのカウントを上げていく。ブロッキングカウンタＢＬＺからの出力信号は、駆動方向が不変のときのみ、画像カウンタＢＺへ渡されるようなやり方で、カウントパルスＺＰに論理的に結合される。直接またはバッファメモリＳＰを介して画像カウンタＢＺへ渡される各画像パルスＢＰの後で、デッドタイムカウンタＴＺをリセットする。駆動パルスＴＰをクロックとしてデッドタイムカウンタＴＺへ供給する。デッドタイムカウンタＴＺが駆動パルスＴＰの既定の数をカウントするとすぐに、それを停止する。駆動方向がデッドタイムの間に定義されていない場合にブロッキングカウンタＢＬＺをリセットするようなやり方で、定義されていない駆動方向である信号ＵＤＩＲにデットタイムカウンタＴＺからの出力信号を論理的に結合する。これはさらなる画像パルスＢＰが画像カウンタＢＺへ直接に渡されるのを防ぐ。さらに、補正パルス集積回路６はアクティブ化され、これは、画像パルスＢＰのすぐ後に行なわれる方向の変更の場合に、反対方向におけるカウントパルスＺＰを生成する。
【００２４】
図３の線ａ）は、複数の駆動パルスＴＰを示す。線ｂ）は、駆動が前方向または逆方向に生じていることを示す方向信号ＤＩＲを示す。この場合、それぞれのロジックレベルは、駆動方向を示す。線ｃ）は、第１のカウンタおよび第２のカウンタのうちの１つからの出力信号を示し、該出力信号は前方向への駆動を示す。信号ＦＷのレベルが「高」ロジックになる前の３つの駆動パルスＴＰによる遅延は、明らかにわかる。線ｄ）は、他のカウンタからの出力信号ＲＥＶへの対応を示し、該出力信号は、逆方向の駆動を示す。信号レベルが信号ＤＩＲに続く前の遅延も、線ｂ）においてわかる。線ｅ）は、集積回路に適用される画像パルスＢＰを示す。線ｆ)は、画像カウンタに適用されるカウントパルスＺＰを示す。この場合、画像カウンタは各レベルの変化でカウントすることを仮定すべきである。Ａで指定される画像パルスは、不変な駆動方向がある時間ポイントにおいて集積回路に渡される。不変な駆動方向を、線ｃ）および線ｄ）における信号の信号レベルにより示す。この例において、信号ＦＷは「高」レベルロジックを有し、信号ＲＥＶは「低」レベルロジックを有する。入ってくる画像パルスＢＰを、画像カウンタにカウントパルスＺＰとして直接適用する。Ｃで指定される画像パルスは、不変な駆動方向がない時間ポイントにおいて集積回路に渡される。不変でない駆動方向の存在を、信号ＦＷおよび「低」レベルロジックを有する信号ＲＥＶの両方により示す。Ｃで指定された画像パルスＢＰの前にすぐに起きる線ｂ）における信号ＤＩＲの短い「低」パルスにより、不変でない駆動方向を生成する。短いパルスの後、信号ＤＩＲは前に適用されたレベルをもう一度有する。これは駆動方向が変わっていなかったことを表す。Ｃで指定された画像パルスを、バッファメモリにバッフア格納し、不変な駆動方向が再びあるとすぐに画像カウンタへのカウントパルスとして適用する。Ｂ１で指定される画像パルスを、不変な駆動方向がない時間ポイントにおいて集積回路に渡す。画像パルスを集積回路に渡したすぐあと、３つのさらなる画像パルスを集積回路に適用する。Ｂ１で指定された画像パルスが生成されたすぐ後に到着する画像パルスＢ２であり、たとえば駆動方向が現在逆であるためである。たとえば、方向の変更に近い媒体の平均的なスピード極めて遅いために、方向信号ＤＩＲは不変のやり方で適用されず、そこの上に重なった斜めの振動を有する。Ｂ１で指定された画像パルスはデッドタイム集積回路をトリガする。不変の駆動方向を示す２つの信号の両方は、駆動方向の変化のために「低」レベルロジックを有する。結果として不変な駆動方向を示すカウンタをリセットする。十分な駆動パルスが１つの方向でカウントされていないので、不変な駆動方向を示す信号はまだない。その後到着し、前にカウントされた画像パルスＢ１を再びキャンセルするであろう画像パルスＢ２をしたがって、画像カウンタにカウントパルスＺＰとして渡さない。線ｅ）のさらなるコースは、更新された方向の変更によりトリガされる画像パルスをさらに示す。２つのパルスについて不変でない駆動方向はまだなかったので、それらを画像カウンタにカウントパルスとして渡さない。さもなければ、更なるカウント��ルスを生成し、最初の方向の変化のすぐ前に生成されたカウントパルスＢ１をキャンセルする。
【００２５】
本発明は、定義された距離のテープ形状の媒体の駆動に対応する駆動パルスを参照して、上述のように説明された。しかし本発明を、定義された一時的な区間において適用される駆動パルスに適用してもよい。さらに、本発明は、方向を示す信号ＤＩＲが駆動パルスを含む信号ＴＰから運ばれるかどうかが明らかであることを意図する。上述の説明において使用された駆動信号ＤＩＲは、既知のやり方で駆動パルスＴＰから運ばれるかもしれないが、別個の信号として集積回路に適用されるかもしれない。
【００２６】
以上の明細書中における画像カウンタＢＺという用語は、あらかじめ定めされた複数の定義された距離をカウントするカウンタと同義としてのみ使用される。この場合において、定義された距離は駆動パルスＴＰに対応し、あらかじめ定めされた複数の定義された距離は、１つの画像の駆動の長さに対応する。
【図面の簡単な説明】
【００２７】
【図１】本発明による装置の簡略化されたブロック図を示している。
【図２】本発明による方法を実行するための例示的変換ロジックを示している。
【図３】図２に示される変換ロジックのための複数の駆動パルスおよびカウント結果パルスの例示図を示している。
【図１】
2008547041.tif 000003
【図２】
2008547041.tif 000004
【図３】
2008547041.tif 000005
【国際調査報告】
2008547041.tif 000006
2008547041.tif 000007